(57)【要約】      （修正有）【課題】トラッキングの発生を防止することができ、しかも、どの形状の電気接続体にも使用できるトラッキング防止具を提供する。【解決手段】コンセント１０の差し込み口１０ａに差し込む栓刃２０ａを突設した電気接続体２０に設けられるトラッキング防止具であって、このトラッキング防止具は、難燃性及び弾性を有する板状の合成樹脂製発泡材で構成された本体１に、栓刃２０ａが貫通する貫通孔部２が設けられたもので、貫通孔部２に栓刃２０ａを貫通させて電気接続体２０に設けた状態において、栓刃２０ａを差し込み口１０ａに差し込んだ場合、コンセント１０の差し込み口形成面１０ｂと電気接続体２０の栓刃突出面とで弾性挟持されるように構成されており、更に、本体１の表面は合成樹脂製の防水材で被覆されたものである。【選択図】図４
0003228657.tif 000002
【実用新案登録請求の範囲】
【請求項１】
コンセントの差し込み口に差し込む栓刃を突設した電気接続体に設けられるトラッキング防止具であって、このトラッキング防止具は、難燃性及び弾性を有する板状の合成樹脂製発泡材で構成された本体に、前記栓刃が貫通する貫通孔部が設けられたもので、前記貫通孔部に前記栓刃を貫通させて前記電気接続体に設けた状態において、前記栓刃を前記差し込み口に差し込んだ場合、前記コンセントの差し込み口形成面と前記電気接続体の栓刃突出面とで弾性挟持されるように構成されており、更に、前記本体の表面は合成樹脂製の防水材で被覆されていることを特徴とするトラッキング防止具。
【請求項２】
請求項１記載のトラッキング防止具において、前記本体は、前記栓刃の全長の１／３以上の厚さを有し、前記貫通孔部に前記栓刃を貫通させて前記電気接続体に設けた状態において、前記栓刃を前記差し込み口に差し込み、前記差し込み口形成面と前記栓刃突出面とで弾性挟持させた場合、前記栓刃の全長の１／４以下の厚さまで圧縮される弾性を有することを特徴とするトラッキング防止具。
【請求項３】
請求項１，２いずれか１項に記載のトラッキング防止具において、前記合成樹脂製発泡材としてメラミン樹脂発泡材が、前記防水材としてシリコンゴムが採用されていることを特徴とするトラッキング防止具。
【考案の詳細な説明】
【技術分野】
【０００１】
本考案は、トラッキング防止具に関するものである。
【背景技術】
【０００２】
従来から、コンセントと電気プラグとの隙間から塵埃が侵入して電気プラグの栓刃に蓄積し、この塵埃が水分（空気中の湿気）を吸収することで発生する漏電現象（トラッキング）が問題となっており、このトラッキングを防止すべく、例えば実用新案登録第３０７９０２８号に開示されるトラッキング防止具（以下、従来例）が提案されている。
【０００３】
この従来例は、電気プラグに付設された状態において該電気プラグの先端部及び栓刃の根本部分を覆う被覆部を有するものであり、この従来例を付設した状態で電気プラグをコンセントに差し込むと、トラッキングの発生の要因となる塵埃及び水分が栓刃に付着することがない為、トラッキングの発生が防止される。
【０００４】
しかしながら、従来例は、決まった形状の電気プラグのみに使用が限定されてしまう構造であり、従って、電気プラグの形状に合わせて種々のタイプを用意しなければならないという問題がある。
【先行技術文献】
【特許文献】
【０００５】
【特許文献１】実用新案登録第３０７９０２８号公報
【考案の概要】
【考案が解決しようとする課題】
【０００６】
本考案は、上述のような現状に鑑みなされたもので、従来に無い実用的なトラッキング防止具を提供する。
【課題を解決するための手段】
【０００７】
添付図面を参照して本考案の要旨を説明する。
【０００８】
コンセント10の差し込み口10ａに差し込む栓刃20ａを突設した電気接続体20に設けられるトラッキング防止具であって、このトラッキング防止具は、難燃性及び弾性を有する板状の合成樹脂製発泡材で構成された本体１に、前記栓刃20ａが貫通する貫通孔部２が設けられたもので、前記貫通孔部２に前記栓刃20ａを貫通させて前記電気接続体20に設けた状態において、前記栓刃20ａを前記差し込み口10ａに差し込んだ場合、前記コンセント10の差し込み口形成面10ｂと前記電気接続体20の栓刃突出面20ｂとで弾性挟持されるように構成されており、更に、前記本体１の表面は合成樹脂製の防水材３で被覆されていることを特徴とするトラッキング防止具に係るものである。
【０００９】
また、請求項１記載のトラッキング防止具において、前記本体１は、前記栓刃20ａの全長の１／３以上の厚さを有し、前記貫通孔部２に前記栓刃20ａを貫通させて前記電気接続体20に設けた状態において、前記栓刃20ａを前記差し込み口10ａに差し込み、前記差し込み口形成面10ｂと前記栓刃突出面20ｂとで弾性挟持させた場合、前記栓刃20ａの全長の１／４以下の厚さまで圧縮される弾性を有することを特徴とするトラッキング防止具に係るものである。
【００１０】
また、請求項１，２いずれか１項に記載のトラッキング防止具において、前記合成樹脂製発泡材としてメラミン樹脂発泡材が、前記防水材３としてシリコンゴムが採用されていることを特徴とするトラッキング防止具に係るものである。
【考案の効果】
【００１１】
本考案は上述のように構成したから、トラッキングの発生を防止することができ、しかも、どの形状の電気接続体にも使用できるなど、従来に無い実用的なトラッキング防止具となる。
【図面の簡単な説明】
【００１２】
【図１】本実施例を示す斜視図である。
【図２】本実施例の要部を説明する断面図である。
【図３】本実施例の要部を説明する側面図である。
【図４】本実施例の使用状態説明図である。
【図５】本実施例の使用状態説明図である。
【図６】本実施例の使用状態説明図である。
【図７】トラッキングが発生する状況の説明図である。
【考案を実施するための形態】
【００１３】
好適と考える本考案の実施形態を、図面に基づいて本考案の作用を示して簡単に説明する。
【００１４】
本考案に係るトラッキング防止具は、貫通孔部２に栓刃20ａを差し込むことで電気接続体20に付設され、この状態でコンセント10の差し込み口10ａに栓刃20ａを差し込むと、コンセント10の差し込み口形成面10ｂと電気接続体20の栓刃突出面20ｂとで弾性挟持される。この際、トラッキング防止具は潰れた状態となるから、差し込み口10ａに対する栓刃20ａの十分な差し込み量が得られ通電する上で何ら支障を来すことが無い。
【００１５】
また、このトラッキング防止具を使用することで、栓刃20ａを差し込み口10ａに差し込んだ状態において該栓刃20ａは露出することが無いから、トラッキングの発生の要因となる塵埃及び水分の栓刃20ａへの付着が阻止され、よって、トラッキングの発生が防止される。
【００１６】
ところで、トラッキングは、図７に図示したように電気接続体20の自重により、コンセント10の差し込み口形成面10ｂと電気接続体20の栓刃突出面20ｂとの距離が離れて塵埃が溜まり易い状態となると発生し易いが、この点、本考案は、仮に電気接続体20の自重若しくは不意の衝撃によりコンセント10の差し込み口形成面10ｂと電気接続体20の栓刃突出面20ｂとの距離が多少離れたとしても、本体１の弾性復元力により栓刃20ａが露出することはなく、トラッキングの発生が防止される（図５，６参照）。
【００１７】
また、このトラッキング防止具は、コンセント10の差し込み口形成面10ｂと電気接続体20の栓刃突出面20ｂとの間に挟み込ませるだけの構造であるから、どの形状の電気接続体20にも設けて使用することができる。
【００１８】
また、このトラッキング防止具は、合成樹脂製発泡材で構成されており、前述したように栓刃20ａを露出させない状態が得られるが、発泡材であるとトラッキングの発生の要因となる水分（空気中の湿気）を吸収してしまうことが懸念される。
【００１９】
しかし、本考案は、表面を合成樹脂製の防水材３で被覆しているから、水分を吸着することが防止され、よって、この点においてもトラッキングの発生を防止することになる。
【実施例】
【００２０】
本考案の具体的な実施例について図面に基づいて説明する。
【００２１】
本実施例は、コンセント10の差し込み口10ａに差し込む栓刃20ａを突設した電気接続体20に設けられるトラッキング防止具である。
【００２２】
尚、本実施例では、電気接続体20として基端部に一対の栓刃20ａ（金属板）及び先端部に差し込み口20ｃを有する電源タップ（図３，４参照）を採用しているが、本実施例の特性を発揮する構成であれば適宜採用し得るものである。
【００２３】
具体的には、トラッキング防止具は、図１に図示したように合成樹脂製発泡材（スポンジ）により方形薄板状の本体１を設けて構成されており、この本体１の四つの角部は面取りされている。
【００２４】
本実施例では、この本体１を構成する合成樹脂製発泡材としてメラミン樹脂発泡材が採用されており、このメラミン樹脂発泡材は、難燃性及び適度な弾性を有している。
【００２５】
この本体１の弾性については、本体１は栓刃20ａの全長の１／３以上の厚さ（図３中Ｌ１）を有し、貫通孔部２に栓刃20ａを貫通させて電気接続体20に設けた状態において、栓刃20ａを前記差し込み口10ａに差し込み、差し込み口形成面10ｂと栓刃突出面20ｂとで弾性挟持させた場合、栓刃20ａの全長の１／４以下の厚さ（図５中Ｌ２）まで圧縮される弾性に設定されている。尚、ここで言う栓刃20ａとは、電気接続体20の栓刃突出面20ｂから突出する部位を指す。
【００２６】
従って、仮に電気接続体20の自重若しくは不意の衝撃によりコンセント10の差し込み口形成面10ｂと電気接続体20の栓刃突出面20ｂとの距離が多少離れたとしても、本体１の弾性復元力により栓刃20ａが露出することはなく、トラッキングの発生が防止される（図５，６参照）。この点は本考案者が行った実験により確認済み。
【００２７】
また、本体１は、電気接続体20の栓刃20ａが貫通する一対の貫通孔部２が設けられている。
【００２８】
この貫通孔部２は、本体１の表裏面に貫通するスリットを設けて構成されており、この貫通孔部２は、種々提案される電気接続体20における栓刃20ａの数，形状及び位置に対応するように設けられる。
【００２９】
また、本体１の表面（貫通孔部２の内面も含む）は、合成樹脂製の防水材３（コーティング層）で被覆されている。
【００３０】
本実施例では、防水材３としてシリコンゴムが採用され、このシリコンゴムは、難燃性，防水性及び適度な弾性を有している。
【００３１】
また、本体１の側周面所定位置には、防水材３で被覆されない通気孔部１ａが設けられており、この通気孔部１ａは、本体１の膨縮を可能にする為のものである。
【００３２】
以上の構成から成る本実施例に係るトラッキング防止具（本体１）の使用について説明する。
【００３３】
具体的には、トラッキング防止具（本体１）は、貫通孔部２に栓刃20ａを差し込むことで電気接続体20に設けられ、この状態でコンセント10の差し込み口10ａに栓刃20ａを差し込むと、コンセント10の差し込み口形成面10ｂと電気接続体20の栓刃突出面20ｂとで弾性挟持される（図４参照）。この際、トラッキング防止具（本体１）は、潰れた状態となるから、差し込み口10ａに対する栓刃20ａの十分な差し込み量が得られ通電する上で何ら支障を来すことが無い。
【００３４】
また、このトラッキング防止具（本体１）を使用することで、栓刃20ａを差し込み口10ａに差し込んだ状態において該栓刃20ａは露出することが無いから、トラッキングの発生の要因となる塵埃及び水分の付着が阻止され、よって、トラッキングの発生が防止される。
【００３５】
また、本実施例は、前述したように仮に電気接続体20の自重若しくは不意の衝撃によりコンセント10の差し込み口形成面10ｂと電気接続体20の栓刃突出面20ｂとの距離が多少離れたとしても、本体１の弾性復元力により栓刃20ａが露出することはなく、トラッキングの発生が防止される（図５，６参照）。
【００３６】
また、このトラッキング防止具（本体１）は、コンセント10の差し込み口形成面10ｂと電気接続体20の栓刃突出面20ｂとの間に挟み込ませるだけの構造であるから、どの形状の電気接続体20にも設けて使用することができる。
【００３７】
また、このトラッキング防止具（本体１）は、合成樹脂製発泡材で構成されており、前述したように栓刃20ａを露出させない状態が得られるが、発泡材であるとトラッキングの発生の要因となる水分（空気中の湿気）を吸収してしまうことが懸念される。
【００３８】
そこで、本実施例は、表面を合成樹脂製の防水材３で被覆することで、水分を吸着することが防止され、よって、この点においてもトラッキングの発生を防止することになる。
【００３９】
また、本実施例は、合成樹脂製発泡材としてメラミン樹脂発泡材が採用されているから、前述した作用効果を確実に奏することになる。
【００４０】
また、本実施例は、防水材３としてシリコンゴムが採用されているから、前述した作用効果を確実に奏することになる。
【００４１】
尚、本考案は、本実施例に限られるものではなく、各構成要件の具体的構成は適宜設計し得るものである。
【符号の説明】
【００４２】
１  本体
２  貫通孔部
３  防水材
10  コンセント
10ａ  差し込み口
10ｂ  差し込み口形成面
20  電気接続体
20ａ  栓刃
20ｂ  栓刃突出面
【図１】
0003228657.tif 000003
【図２】
0003228657.tif 000004
【図３】
0003228657.tif 000005
【図４】
0003228657.tif 000006
【図５】
0003228657.tif 000007
【図６】
0003228657.tif 000008
【図７】
0003228657.tif 000009